【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
防汚剤および有機ビヒクルを含む海洋用コーティング組成物であって、該防汚剤が金属キレートもしくは金属塩を含み、該金属キレートは金属イオンおよび配位子を含み、下記式１の化合物が前記配位子の源であり、前記金属塩は金属イオンおよびアニオンを含み、下記式１の化合物が前記アニオンの源である、海洋用コーティング組成物：
【化１】
2009507128.tif 000001
（式中、ｎは０〜２の整数であり、
Ｒ１はメチルもしくはエチルであり、
Ｒ２はヒドロキシルおよびアミノからなる群より選択される）。
【請求項２】
前記金属イオンが、亜鉛イオン、銅イオン、マンガンイオン、鉄イオン、クロムイオン、ニッケルイオン、コバルトイオン、銀イオン、カルシウムイオンおよびそれらの組み合わせからなる群より選択され、平均配位子対金属イオン比が２：１である、請求項１に記載の海洋用コーティング組成物。
【請求項３】
硝酸銅、イソチオシアン酸銅、Ｎ’−ｔｅｒｔ−ブチル−Ｎ−シクロプロピル−６−（メチルチオ）−１，３，５−トリアジン−２，４−ジアミン、Ｎ−ジクロロフルオロメチルチオ−Ｎ’，Ｎ’−ジメチル−Ｎ−フェニルスルファミド、３−（３，４−ジクロロフェニル）−１，１−ジメチル尿素、２−（チオシアノメチルチオ）ベンゾチアゾール、トリブチルスズメタクリレートコポリマー、酸化トリブチルスズおよびそれらの組み合わせからなる群より選択される別の殺生剤をさらに含む、請求項１に記載の海洋用コーティング組成物。
【請求項４】
ｎが２であり、Ｒ１がメチルであり、Ｒ２がヒドロキシルであり、かつ前記金属イオンが亜鉛イオンまたは銅イオンを含む、請求項１に記載の海洋用コーティング組成物。
【請求項５】
前記金属キレートもしくは前記金属塩が、海洋用コーティング組成物中に０．０５ｗｔ．％〜５０ｗｔ．％の濃度で存在し、前記金属キレートもしくは前記金属塩の平均粒子サイズが０．５μｍ〜６００μｍである、請求項１に記載の海洋用コーティング組成物。
【請求項６】
前記有機ビヒクルが樹脂、希釈剤およびそれらの組み合わせからなる群より選択される、請求項１に記載の海洋用コーティング組成物。
【請求項７】
膨潤剤、色素、湿潤剤、充填剤およびそれらの組み合わせからなる群より選択される添加物をさらに含む、請求項１に記載の海洋用コーティング組成物。
【請求項８】
下記式（ＩＩ）の置換１，２−ジヒドロキノリン化合物をさらに含む、請求項１に記載の海洋用コーティング組成物：
【化２】
2009507128.tif 000002
（式中、
Ｒ１、Ｒ２、Ｒ３およびＲ４は独立して、水素および１個〜６個の炭素を有するアルキル基からなる群より選択され、
Ｒ５は１個〜１２個の炭素を有するアルコキシ基である）。
【請求項９】
前記置換１，２−ジヒドロキノリン化合物が６−エトキシ−１，２−ジヒドロ−２，２，４−トリメチルキノリンである、請求項８に記載の海洋用コーティング組成物。
【請求項１０】
亜鉛イオン、銅イオン、マンガンイオン、鉄イオン、クロムイオン、銀イオン、コバルトイオン、カルシウムイオンおよびそれらの組み合わせからなる群より選択される金属イオンと、アラニン、アルギニン、アスパラギン、アスパラギン酸、システイン、グルタミン、グルタミン酸、グリシン、ヒスチジン、イソロイシン、ロイシン、リジン、メチオニン、フェニルアラニン、プロリン、セリン、トレオニン、トリプトファン、チロシンおよびバリンもしくはそれらのヒドロキシ類似体からなる群より選択されるアミノ酸配位子と、を含む金属キレートをさらに含む、請求項１に記載の海洋用コーティング組成物。
【請求項１１】
海洋用塗料をさらに含む、請求項１に記載の海洋用コーティング組成物。
【請求項１２】
海洋構造体の汚染を阻止する方法であって、防汚剤および有機ビヒクルを含む海洋用コーティング組成物を海洋構造体に塗布することを含み、該防汚剤が金属キレートもしくは金属塩を含み、該金属キレートは金属イオンおよび配位子を含み、下記式１の化合物が前記配位子の源であり、前記金属塩は金属イオンおよびアニオンを含み、下記式１の化合物が前記アニオンの源である、方法：
【化３】
2009507128.tif 000003
（式中、
ｎは０〜２の整数であり、
Ｒ１はメチルもしくはエチルであり、
Ｒ２はヒドロキシルおよびアミノからなる群より選択される）。
【請求項１３】
前記金属イオンが、亜鉛イオン、銅イオン、マンガンイオン、鉄イオン、クロムイオン、ニッケルイオン、コバルトイオン、銀イオン、カルシウムイオンおよびそれらの組み合わせからなる群より選択され、平均配位子対金属イオン比が２：１である、請求項１２に記載の方法。
【請求項１４】
前記海洋用コーティング組成物が、硝酸銅、イソチオシアン酸銅、Ｎ’−ｔｅｒｔ−ブチル−Ｎ−シクロプロピル−６−（メチルチオ）−１，３，５−トリアジン−２，４−ジアミン、Ｎ−ジクロロフルオロメチルチオ−Ｎ’，Ｎ’−ジメチル−Ｎ−フェニルスルファミド、３−（３，４−ジクロロフェニル）−１，１−ジメチル尿素、２−（チオシアノメチルチオ）ベンゾチアゾール、トリブチルスズメタクリレートコポリマー、酸化トリブチルスズおよびそれらの組み合わせからなる群より選択される別の殺生剤をさらに含む、請求項１２に記載の方法。
【請求項１５】
ｎが２であり、Ｒ１がメチルであり、Ｒ２がヒドロキシルであり、かつ前記金属イオンが亜鉛イオンまたは銅イオンを含む、請求項１２に記載の方法。
【請求項１６】
前記金属キレートもしくは前記金属塩が、海洋用コーティング組成物中に０．０５ｗｔ．％〜５０ｗｔ．％の濃度で存在し、前記金属キレートもしくは前記金属塩の平均粒子サイズが０．５μｍ〜６００μｍである、請求項１２に記載の方法。
【請求項１７】
前記有機ビヒクルが樹脂、希釈剤およびそれらの組み合わせからなる群より選択される、請求項１２に記載の方法。
【請求項１８】
前記海洋用コーティング組成物が、膨潤剤、色素、湿潤剤、充填剤およびそれらの組み合わせからなる群より選択される添加物をさらに含む、請求項１２に記載の方法。
【請求項１９】
前記海洋用コーティング組成物が下記式（ＩＩ）の置換１，２−ジヒドロキノリン化合物をさらに含む、請求項１２に記載の方法：
【化４】
2009507128.tif 000004
（式中、
Ｒ１、Ｒ２、Ｒ３およびＲ４は独立して、水素および１個〜６個の炭素を有するアルキル基からなる群より選択され、
Ｒ５は１個〜１２個の炭素を有するアルコキシ基である）。
【請求項２０】
前記置換１，２−ジヒドロキノリン化合物が６−エトキシ−１，２−ジヒドロ−２，２，４−トリメチルキノリンである、請求項１９に記載の方法。
【請求項２１】
前記海洋構造体が、船体、艇体、潜水艦体、プロペラ、ラダー、キール、センターボード、フィン、水中翼、デッキ表面、ブイ、桟橋、埠頭、突堤、魚網、冷却システム表面、冷却水取り込みパイプもしくは冷却水排出パイプ、航海用ビーコン、浮きビーコン、浮防波堤、ドック、パイプ、パイプライン、タンク、発電所内の水管、沿岸工業プラント、魚保存構造体、水中建造物、港湾施設、橋、ベル、測鉛、外輪、クレーン、浚渫機、ポンプ、弁、ワイヤ、ケーブル、ロープ、梯子、平底船、応答機（トランスポンダー）、アンテナ、はしけ、潜望鏡、シュノーケル、砲座、砲身、発射管、機雷、魚雷および爆雷からなる群より選択される、請求項１２に記載の方法。
【請求項２２】
前記防汚剤が、フジツボ類、バラヌス・アンフィトリテ（ダーウィン）、ゼブラガイ、ハオリムシ類、カキ類、藻類、細菌およびバイオフィルムからなる群より選択される生物による汚染を阻害する、請求項１２に記載の方法。
【請求項２３】
前記海洋用コーティング組成物が塗料を含む、請求項１２に記載の方法。
【請求項２４】
構造要素および海洋用コーティングを含む海洋構造体であって、該海洋用コーティングが防汚剤および樹脂を含み、該防汚剤が金属キレートもしくは金属塩を含み、該金属キレートは金属イオンおよび配位子を含み、下記式１の化合物が前記配位子の源であり、前記金属塩は金属イオンおよびアニオンを含み、下記式１の化合物が前記アニオンの源である海洋構造体：
【化５】
2009507128.tif 000005
（式中、
ｎは０〜２の整数であり、
Ｒ１はメチルもしくはエチルであり、
Ｒ２はヒドロキシルおよびアミノからなる群より選択される）。
【請求項２５】
ｎが２であり、Ｒ１がメチルであり、Ｒ２がヒドロキシルであり、かつ前記金属イオンが亜鉛イオンまたは銅イオンを含む、請求項２４に記載の海洋構造体。
【請求項２６】
前記海洋用コーティングが前記構造要素の表面に被着し、かつ／もしくは前記構造要素の細孔内に含有される、請求項２４に記載の海洋構造体。
【請求項２７】
前記構造要素が、船体、艇体、潜水艦体、プロペラ、ラダー、キール、センターボード、フィン、水中翼、デッキ表面、ブイ、桟橋、埠頭、突堤、魚網、冷却システム表面、冷却水取り込みパイプもしくは冷却水排出パイプ、航海用ビーコン、浮きビーコン、浮防波堤、ドック、パイプ、パイプライン、タンク、発電所内の水管、沿岸工業プラント、魚保存構造体、水中建造物、港湾施設、橋、ベル、測鉛、外輪、クレーン、浚渫機、ポンプ、弁、ワイヤ、ケーブル、ロープ、梯子、平底船、応答機（トランスポンダー）、アンテナ、はしけ、潜望鏡、シュノーケル、砲座、砲身、発射管、機雷、魚雷および爆雷からなる群より選択される、請求項２４に記載の海洋構造体。